(57)【要約】【課題】  ネットワークのボトルネックになることなく、モバイル型端末装置でもピアツーピア通信ネットワークシステムに容易に参加できるようにする。【解決手段】  複数のピア２，３がネットワークに接続されピアツーピア通信によりファイル交換を行うピアツーピア通信ネットワークシステムにおいて、携帯電話機６（ピアＡ）の中継ピアをピア３とし、携帯電話機７（ピアＢ）の中継ピアをピア２とし、ピア３がピアＡのファイル交換を代替し、ピア２がピアＢのファイル交換を代替する。これにより、ピアＡ，Ｂは、ネットワークの障壁となることなくファイル交換を行うことができる。【選択図】  図４
2005215826.tif 000002
【特許請求の範囲】
【請求項１】
複数のピアがネットワークに接続されピアツーピア通信によりファイル交換を行うピアツーピア通信ネットワークシステムにおいて、前記ピアのうちのいずれかを中継ピアとし該中継ピアがファイル交換を代替するモバイル型端末装置が前記ネットワークに接続されることを特徴とするモバイル型端末装置が参加するピアツーピア通信ネットワークシステム。
【請求項２】
前記中継ピアは自身のピア情報を含むアプリケーションを作成して前記ネットワークのセンターサーバにアップロードし、該センターサーバからピアツーピア通信用アプリケーションの置かれた場所のアドレスの通知を受けた前記中継ピアが前記モバイル型端末装置に電子メールにより前記アドレスを通知し、該通知による前記アドレスにアクセスした前記モバイル型端末装置が前記ピアツーピア通信用アプリケーションをダウンロードして実行することで該モバイル型端末装置が前記中継ピアを介して前記ネットワークに参加することを特徴とする請求項１に記載のモバイル型端末装置が参加するピアツーピア通信ネットワークシステム。
【請求項３】
複数のピアがネットワークに接続されピアツーピア通信によりファイル交換を行うピアツーピア通信ネットワークシステムを構成する前記ピアのうちのいずれかをモバイル型端末装置が中継ピアとし、該中継ピアが前記モバイル型端末装置によるファイル交換を代替することを特徴とするモバイル型端末装置のネットワーク参加方法。
【請求項４】
前記中継ピアは自身のピア情報を含むアプリケーションを作成して前記ネットワークのセンターサーバにアップロードし、該センターサーバからピアツーピア通信用アプリケーションの置かれた場所のアドレスの通知を受けた前記中継ピアが前記モバイル型端末装置に電子メールにより前記アドレスを通知し、該通知による前記アドレスにアクセスした前記モバイル型端末装置が前記ピアツーピア通信用アプリケーションをダウンロードして実行することで該モバイル型端末装置が前記中継ピアを介して前記ネットワークに参加することを特徴とする請求項３に記載のモバイル型端末装置のネットワーク参加方法。
【発明の詳細な説明】
【技術分野】
【０００１】
本発明はピアツーピア通信ネットワークシステムに係り、特に、ＣＰＵやメモリ等の機能が低い携帯電話機やデジタルカメラ等のモバイル型端末装置でも参加することができるピアツーピア通信ネットワークシステム及びモバイル型端末装置のネットワーク参加方法並びにピアツーピア通信ネットワークシステムに参加するモバイル型端末装置に関する。
【背景技術】
【０００２】
サーバ・クライアント方式のネットワークはサーバの負荷が高くなり、サーバへのアクセスがボトルネックになることがある。このため、下記特許文献１記載の様なピアツーピア通信ネットワークシステムが開発され、普及し始めている。
【０００３】
このピアツーピア通信ネットワークでは、ネットワークを構成する各クライアント（ピア）が各クライアントのストレージメディアを共有し、あるピアが別のピアに保存されている画像データ等のファイルに対して直接アクセス可能とし、ネットワーク上で授受するファイルを一々サーバにアップロードしなくても閲覧できるようにしている。
【０００４】
【特許文献１】特開２００２―５７７０１号公報
【発明の開示】
【発明が解決しようとする課題】
【０００５】
従来のピアツーピア通信ネットワークは、インターネット等の広域ネットワークに接続されたパーソナルコンピュータ等が構成員になることを前提としているが、近年の小型デバイスの進化は著しく、携帯電話機やＰＤＡ等のモバイル型端末装置が広く普及している。
【０００６】
これらのモバイル型端末装置は、パーソナルコンピュータに比較すると、ＣＰＵの処理能力やメモリ容量が小さく、また通信ポートも制限される等のため、モバイル型端末装置をピアツーピア通信ネットワークシステムの構成員としてパーソナルコンピュータと同等に参加させると、ネットワークトラフィックに負荷が生じネットワークの障壁になる虞が高い。
【０００７】
しかし、ユーザが普段持ち歩くモバイル型端末装置、例えば携帯電話機でピアツーピア通信ネットワークシステムに参加したいという要望は高い。
【０００８】
本発明の目的は、ネットワークの障壁になることなくモバイル型端末装置を容易に参加させることができるピアツーピア通信ネットワークシステム及びモバイル型端末装置のネットワーク参加方法を提供することにある。
【課題を解決するための手段】
【０００９】
本発明のモバイル型端末装置が参加するピアツーピア通信ネットワークシステムは、複数のピアがネットワークに接続されピアツーピア通信によりファイル交換を行うピアツーピア通信ネットワークシステムにおいて、前記ピアのうちのいずれかを中継ピアとし該中継ピアがファイル交換を代替するモバイル型端末装置が前記ネットワークに接続されることを特徴とする。
【００１０】
この構成により、モバイル型端末装置が通信トラフィックの障壁になることがなくなり、モバイル型端末装置であってもピアツーピア通信ネットワークに容易に参加可能となる。
【００１１】
本発明のモバイル型端末装置が参加するピアツーピア通信ネットワークシステムでは、前記中継ピアは自身のピア情報を含むアプリケーションを作成して前記ネットワークのセンターサーバにアップロードし、該センターサーバからピアツーピア通信用アプリケーションの置かれた場所のアドレスの通知を受けた前記中継ピアが前記モバイル型端末装置に電子メールにより前記アドレスを通知し、該通知による前記アドレスにアクセスした前記モバイル型端末装置が前記ピアツーピア通信用アプリケーションをダウンロードして実行することで該モバイル型端末装置が前記中継ピアを介して前記ネットワークに参加することを特徴とする。
【００１２】
この構成により、モバイル型端末装置が容易にデータの中継先となる中継ピアを知ることができる。
【００１３】
本発明のモバイル型端末装置のネットワーク参加方法は、複数のピアがネットワークに接続されピアツーピア通信によりファイル交換を行うピアツーピア通信ネットワークシステムを構成する前記ピアのうちのいずれかをモバイル型端末装置が中継ピアとし、該中継ピアが前記モバイル型端末装置によるファイル交換を代替することを特徴とする。
【００１４】
この構成により、モバイル型端末装置が通信トラフィックの障壁になることがなくなり、モバイル型端末装置であってもピアツーピア通信ネットワークに容易に参加可能となる。
【００１５】
本発明のモバイル型端末装置のネットワーク参加方法では、前記中継ピアは自身のピア情報を含むアプリケーションを作成して前記ネットワークのセンターサーバにアップロードし、該センターサーバからピアツーピア通信用アプリケーションの置かれた場所のアドレスの通知を受けた前記中継ピアが前記モバイル型端末装置に電子メールにより前記アドレスを通知し、該通知による前記アドレスにアクセスした前記モバイル型端末装置が前記ピアツーピア通信用アプリケーションをダウンロードして実行することで該モバイル型端末装置が前記中継ピアを介して前記ネットワークに参加することを特徴とする。
【００１６】
この構成により、モバイル型端末装置が容易にデータの中継先となる中継ピアを知ることができる。
【発明の効果】
【００１７】
本発明によれば、モバイル型端末装置であっても、ネットワークのボトルネックになることなくファイル交換を行うことが可能となる。
【発明を実施するための最良の形態】
【００１８】
以下、本発明の一実施形態について、図面を参照して説明する。
【００１９】
図１は、本発明の一実施形態に係るピアツーピア通信ネットワークシステムの構成図である。インターネット等の広域ネットワークには無数のコンピュータが接続されており、このうち、ネットワーク構築用特定アプリケーションソフトウェアを搭載し起動したコンピュータが本実施形態に係るピアツーピア通信ネットワークシステムを構築する。このネットワークシステムは、図示する例では、ピア１，ピア２，ピア３と、センターサーバ４と、これらを接続するネットワーク５とで構成され、各ピア間で画像データの交換を行う。
【００２０】
更に、ネットワーク５には、携帯電話機６（以下、ピアＡともいう。）と携帯電話機７（以下、ピアＢともいう。）とが接続可能になっている。例えば、携帯電話機６のユーザが自宅に設置しているコンピュータがピア３であり、携帯電話機７のユーザがオフィスに設置しているコンピュータをピア２とする。
【００２１】
図２は、携帯電話機７（ピアＢ）を示す図である。この携帯電話機７には、ボタン操作スイッチ等のスイッチ類１１やアンテナ１２，スピーカ１３，マイク１４等の他に、カラー液晶画面等の表示部１５が設けられており、カメラ付の携帯電話機であるピアＡで撮像された画像１６を上記のピアツーピア通信ネットワークシステムを介して取得し、表示部１５に表示している。
【００２２】
図３は、携帯電話機７のブロック構成図である。図３では、通常の音声通話用の機能ブロックは図示を省略し、画像表示に必要な部分のみ図示しており、ＣＰＵ２１と、メモリ２２と、不揮発性メモリ２３と、時計２４と、操作スイッチ１１が接続されるＩ／Ｏ２５と、表示部１５が接続される制御部２６と、アンテナ１２が接続された送受信回路２７に接続される送受信バッファ２８と、これらを相互に接続するバス２９とを備える。携帯電話機７にはバッテリ３０が搭載され、バッテリ３０からＣＰＵ２１等の各ブロックに電力が供給される。
【００２３】
図４は、ピアツーピア通信ネットワークシステムにおける通信手順の一例を示すシーケンス図である。このシーケンス図では、カメラ付携帯電話機であるピアＡによる撮像画像をピアＢが要求し、図２に示す様に、その撮像画像を表示部１５に表示するまでを示している。
【００２４】
先ず、このネットワークシステムを構成する各ピアがセンターサーバ４に対して登録を行う。また、ピアＡ（携帯電話機６）とピアＢ（携帯電話機７）は、夫々、ネットワークに入るときに、自身の中継ホスト（中継ピア）がピア３，ピア２であることをセンターサーバ４に登録する。
【００２５】
ピアＡの中継ホストとなるピア３は、自身のピア名等のピア情報を登録したアプリケーションを作成してセンターサーバ４にアップロードすると、センターサーバ４は、画像通信用アプリケーションを置いたＵＲＬをピア３に対して通知する。この通知を受けたピア３は、ピアＡに対して画像通信用アプリケーションが置かれているＵＲＬを電子メールで通知する。
【００２６】
ピアＡは、通知されたＵＲＬにアクセスして画像通信用アプリケーションをセンターサーバ４に対し要求し、ダウンロードする。そして、この画像通信用アプリケーションを実行し、センターサーバ４に対して自身の中継ホストのキー情報を送り中継ホストのＩＰアドレス等のロケーション情報を問い合わせ、取得する。
【００２７】
次に、ピアＡは、ロケーション情報に基づいて自身の中継ホストであるピア３に中継依頼を行うと、ピア３は、ピアＡに対して、ピアＡ内の画像データのうちピア３に対して未送信の新規画像データを要求する。この要求を受けたピアＡは、新規画像（図示の例では４枚の画像データ）をピア３に対して送信し、この画像データを受け取ったピア３は、センターサーバ４に対してこれら画像データをピアＡの画像として登録する。
【００２８】
ピアツーピア通信ネットワークシステムで画像データを交換する場合、例えば、「入学式」の画像データの交換を行うグループ、「運動会」の画像データの交換を行うグループなど、幾つものグループに分けられて、各ピアが所望のグループに参加することになる。グループに参加してそのグループの画像データにアクセスするには、アクセスキーとしてのグループキーを入力する。即ち、グループの選択を行う。
【００２９】
今、ピアＢのユーザが或るグループを選択し、このグループに含まれるピアＡの画像データの要求が発生すると、ピアＢは自身の中継ホストであるピア２に要求を送信する。ピア２はセンターサーバ４に問い合わせることでピアＡの中継ホストがピア３であることを知り、ピア３に対してピアＡの画像データを要求する。
【００３０】
この要求を受けたピア３は、自身のストレージメディアに保管されているピアＡの画像データをピア２に送信する。ピアＢは、ピア２に対して所定周期たとえば１秒間隔でレスポンスの確認を行っており、ピア２がピアＡの画像データの受信を終了すると、ピア２からピアＢに画像データが転送される。これにより、図２に示す様に、ピアＢの表示部１５に、ピアＡの画像を表示することができる。
【００３１】
この様に、本実施形態によれば、モバイル型端末装置であっても、パーソナルコンピュータ等の大型高機能のコンピュータを中継ホストとしてファイル交換を行うため、ネットワークの障壁となることはなくピアツーピア通信を行うことができる。
【００３２】
尚、上述した実施形態では、モバイル型端末装置として携帯電話機を例に説明したが、ＰＤＡ等の他の種類のモバイル型端末装置でも同様である。また、近年進歩の著しいデジタルカメラであっても、通信機能たとえば無線ＬＡＮでネットワークに接続できる機能を持っていれば、自身の中継ホストを介してピアツーピア通信によりファイル交換を行うことができる。デジタルカメラは画像の撮像を行うモバイル型の端末装置であるため、画像専用の大容量ストレージメディアを搭載しており、デジタルカメラを画像交換用のネットワークに接続できれば、利用価値は高くなる。
【００３３】
また、上述した実施形態では、ピアＢが予めグループキーを知っていることを前提として説明したが、ピアＢがグループキーを知らない場合には、ピアＡのユーザから電子メール等でグループキーを教えて貰うことになる。しかし、電子メールでグループキーを授受するのでは、入力に手間がかかるため、例えば、近距離に置かれたピアＡとピアＢとを共にＩｒＤＡモードにしてＩｒＤＡによりグループキーを授受する構成にすると、便利である。
【産業上の利用可能性】
【００３４】
本発明によれば、携帯電話機等のモバイル型の端末装置でも、ネットワークの障壁とならずにピアツーピア通信ネットワークに参加できるため、画像データ等の大きなファイルの交換でも容易に行うことが可能となる。
【図面の簡単な説明】
【００３５】
【図１】本発明の一実施形態に係るピアツーピア通信ネットワークの構成図である。
【図２】モバイル型端末装置の一例である携帯電話機を示す図である。
【図３】図２に示す携帯電話機の機能ブロック図である。
【図４】図１に示すピアツーピア通信ネットワークにおけるファイル交換の手順の一例を示すシーケンス図である。
【符号の説明】
【００３６】
１，２，３  ピア
４  センターサーバ
５  ネットワーク
６  携帯電話機（ピアＡ）
７  携帯電話機（ピアＢ）
【図１】
2005215826.tif 000003
【図２】
2005215826.tif 000004
【図３】
2005215826.tif 000005
【図４】
2005215826.tif 000006